(57)【要約】【課題】  防漏性能を低下を抑制しつつ、股下部の幅を狭くすることのできる使い捨ておむつを提供すること。【解決手段】  吸収性本体及び外装体を具備する使い捨ておむつであり、防漏カフ形成用シート及び弾性部材により防漏カフが形成されており、防漏カフは、その自由端６２に沿って第１の弾性部材６１ａが配され、固定端６３が前記吸収性本体の肌当接面側の面に形成されており、また、腹側部及び背側部それぞれにおける自由端６２と固定端６３との間で２カ所の折り曲げ部６４，６５で折り曲げられており、自由端６２から固定端６３に向かって１つ目の折り曲げ部６５に腹側部と背側部との間に亘るように第２の弾性部材６１ｂが配されている。【選択図】    図７
2005198802.tif 000002
【特許請求の範囲】
【請求項１】
液透過性の表面シート及び液保持性の吸収性コアを有する吸収性本体と、該吸収性本体の非肌当接面側に位置する外装体とを具備し、股下部並びにその前後に延在する腹側部及び背側部を有する使い捨ておむつであって、
前記吸収性本体の肌当接面側の面から非肌当接面側の面に亘って配された防漏カフ形成用シート並びに該防漏カフ形成用シートに伸張状態で固定された第１及び第２の弾性部材により、前記吸収性本体の両側部それぞれに、前記股下部において起立する防漏カフが形成されており、
前記防漏カフは、自由端及び固定端を有しており、前記自由端に沿って第１の弾性部材が配されており、前記固定端が前記吸収性本体の肌当接面側の面に形成されており、
前記防漏カフは、前記腹側部及び前記背側部それぞれにおける前記自由端と前記固定端との間で、おむつ長手方向に延びる少なくとも２カ所の折り曲げ部で折り曲げられて折り畳まれており、前記腹側部及び前記背側部それぞれにおける前記自由端から前記固定端に向かって１つ目の折り曲げ部に、第２の弾性部材が配されており、第２の弾性部材は、前記腹側部と前記背側部との間に亘るように配されていることを特徴とする使い捨ておむつ。
【請求項２】
前記防漏カフが、前記自由端から前記１つ目の折り曲げ部までの部分は内向き、１つ目の折り曲げ部から２つ目の折り曲げ部までの部分は外向き、２つ目の折り曲げ部から前記固定端又は次の折り曲げ部までの部分は内向き、となるように互い違いの向きに折り曲げられて折り畳まれている請求項１記載の使い捨ておむつ。
【請求項３】
前記防漏カフは２ヵ所の折り曲げ部で折り曲げられており、その折り畳まれた部分が、前記吸収性本体の長手方向の両端近傍において、前記表面シート上に固定されており、その固定された部分において、前記自由端の位置と、該自由端から２つ目の折り曲げ部の位置とが、おむつ幅方向において重なっている請求項１又は２記載の使い捨ておむつ。
【請求項４】
前記吸収性コアは、前記背側部及び前記腹側部それぞれにおける最大幅が１３５ｍｍ以下で、前記股下部における最小幅が８０ｍｍ以下であり、前記防漏カフは、前記自由端から前記１つ目の折り曲げ部までの距離Ｌ３が５〜４０ｍｍであり、１つ目の折り曲げ部から２つ目の折り曲げ部までの距離Ｌ２と前記距離Ｌ３とがほぼ同じであり、前記固定端に最も近い折り曲げ部から該固定端までの距離Ｌ１が１０〜５０ｍｍであり、前記距離Ｌ１、前記距離Ｌ２及び前記距離Ｌ３の合計が２０〜１１０ｍｍである請求項１〜３の何れか記載の使い捨ておむつ。
【請求項５】
前記背側部及び前記腹側部それぞれにおける最大幅が１３５ｍｍ以下で、前記股下部における最小幅が８０ｍｍ以下である請求項１〜４の何れか記載の使い捨ておむつ。
【請求項６】
パンツ型のおむつである請求項１〜５の何れか記載の使い捨ておむつ。
【発明の詳細な説明】
【技術分野】
【０００１】
本発明は、防漏性能に優れた使い捨ておむつに関する。
【背景技術】
【０００２】
従来、横漏れ防止性能を向上させるために防漏カフを設けた使い捨ておむつが知られている（例えば、特許文献１参照）。
【０００３】
【特許文献１】特開平１１−１０４１７０号公報。
【発明の開示】
【発明が解決しようとする課題】
【０００４】
しかし、従来の防漏カフは、特に横モレ防漏性能の向上を図る目的で高さを高くし、股からのモレ防止を高めた。その一方でカフの高さを高くした結果、吸収体の親水部が防漏カフに大きく覆われるために、特におむつの腹側部・背側部での吸収性能が低下したり、防漏壁が倒れ易くなったりすることによって、結局、横モレ防漏性能を向上させることが困難であった。  
また、股下部のフィット性を向上する等の目的で、股下部の製品幅、特に吸収性本体や吸収性コアの幅を狭める場合には、吸収体が防漏カフに覆われる部分が広くなり、親水部が狭くなることで吸収性能が低下してしまう。それを防止するためには防漏壁の高さを低くせざるをえず、結果として、股下部の製品幅、吸収性コアの幅を狭くした製品で防漏性能を向上させることは困難となる。
【０００５】
特許文献１記載のおむつにおいても、同様の問題があり、また、同文献１のおむつは、防漏カフが表面シート及び裏面シートの一部分を含んでいるため、防漏カフや表面シート等の材質が制限される。特に防漏カフに表面シートを含んでいることから、尿などがその表面シートを伝わり、液の染み出しからモレが生じやすくなる。一方、このカフに防漏シートを含むことで、柔軟な防漏カフを構成することが困難となり、装着者の足まわりのフィット感を損なう結果となる。特に表面シートからの染み出しから起こる前記記載のモレ現象をなくすために防漏シートの配設部分を大きくすると、さらに装着者の違和感は大きなものとなってしまう。
【０００６】
本発明の目的は、防漏性能の低下を抑制しつつ、股下部の幅を狭くすることのできる、装着者に違和感を与えない使い捨ておむつを提供することにある。
【課題を解決するための手段】
【０００７】
本発明は、液透過性の表面シート及び液保持性の吸収性コアを有する吸収性本体と、該吸収性本体の非肌当接面側に位置する外装体とを具備し、股下部並びにその前後に延在する腹側部及び背側部を有する使い捨ておむつであって、前記吸収性本体の肌当接面側の面から非肌当接面側の面に亘って配された防漏カフ形成用シート並びに該防漏カフ形成用シートに伸張状態で固定された第１及び第２の弾性部材により、前記吸収性本体の両側部それぞれに、前記股下部において起立する防漏カフが形成されており、前記防漏カフは、自由端及び固定端を有しており、前記自由端に沿って第１の弾性部材が配されており、前記固定端が前記吸収性本体の肌当接面側の面に形成されており、前記防漏カフは、前記腹側部及び前記背側部それぞれにおける前記自由端と前記固定端との間で、おむつ長手方向に延びる少なくとも２カ所の折り曲げ部で折り曲げられて折り畳まれており、前記腹側部及び前記背側部それぞれにおける前記自由端から前記固定端に向かって１つ目の折り曲げ部に、第２の弾性部材が配されており、第２の弾性部材は、前記腹側部と前記背側部との間に亘るように配されていることを特徴とする使い捨ておむつを提供することにより前記目的を達成したものである。
【発明の効果】
【０００８】
本発明の使い捨ておむつによれば、防漏性能の低下を抑制しつつ、股下部の幅を狭くすることができる。
【発明を実施するための最良の形態】
【０００９】
以下本発明を、その好ましい実施形態に基づき図面を参照しながら説明する。
本発明の一実施形態としての使い捨ておむつ１は、図１に示すように、パンツ型のおむつである。おむつ１は、図４〜図６に示すように、液透過性の表面シート２、液不透過性の裏面シート３及び両シート２，３間に介在された液保持性の吸収性コア４を有する吸収性本体５と、該吸収性本体５の外側（非肌当接面側）に位置して該吸収性本体５を接合固定している外装体１０とを具備する。おむつ１は、着用者の股間部に配される股下部Ｃと、その前後に延在する腹側部Ａ及び背側部Ｂに有している。腹側部Ａは着用時に着用者の腹側に配され、背側部Ｂは着用時に着用者の背側に配される。
【００１０】
外装体１０は、図１に示すように、腹側部Ａに位置する部分の両側縁と背側部Ｂに位置する部分の両側縁とが、粘着剤、ヒートシール、高周波シール、超音波シール等の公知の接合手段により互いに接合されて一対のサイドシール部が形成されている。また、その接合によって、おむつ１に、ウエスト開口部７及び一対のレッグ開口部８，８が形成されている。
腹側部Ａ、背側部Ｂ及び股下部Ｃは、展開且つ伸張状態（図２に示す状態）におけるおむつを、その長手方向の全長を３等分するように３領域に区分したときの各領域である。
【００１１】
図２に示すように、吸収性本体５は縦長矩形状をなし、その長手方向を、図２の上下方向（以下、おむつ長手方向ともいう）に一致させ、腹側部Ａから背側部Ｂに亘るように、ホットメルト型接着剤等の公知の接合手段により外装体１０の幅方向中央部に接合されている。吸収体コア４は、長手方向中央部が括れた砂時計状をなしており、表面シート２及び裏面シート３間に挟持固定されている。本実施形態における吸収性コア４は、図３に示すように、上部吸収層４１と下部吸収層４２とからなる２層構造を有し、下部吸収層４２よりも上部吸収層４１が小型に形成されている。吸収性コア４は、図４〜図６に示すように、ティッシュペーパや不織布からなる透水性の被覆シート４３で被覆されて吸収体を構成している。図３では、被覆シート４３の図示を省略してある。
【００１２】
外装体１０は、図４に示すように、２枚のシート１１，１２と、これら２枚のシート間に固定された弾性部材とからなる。おむつ１においては、２枚のシート１１，１２間に、ウエスト開口部７の周縁部にウエストギャザーを形成するウエスト部弾性部材７１，レッグ開口部８の周縁部にレッグギャザーを形成するレッグ部弾性部材８１，及びウエスト開口部７の周縁端から下方に２０ｍｍ離間した位置からレッグ開口部８の上端までの領域である胴回り部Ｄに左右に分割された状態の胴回りギャザーを形成する胴回り弾性部材９１がそれぞれ伸張状態で固定されている。
【００１３】
本実施形態の外装体１０を構成するシート１１及びシート１２は、何れも通気性の不織布から構成されている。シート１１は、シート１２の前後端縁から前後方向に延出した延出部を有し、それらの延出部はそれぞれ、外装体１０のシート１２上に吸収性本体５が配置された後、該吸収性本体５の前後端を覆うように該吸収性本体５側に折り返されて接着されている（図２参照）。
【００１４】
吸収性本体５の両側部それぞれには、おむつ長手方向へ延びる防漏カフ６が、設けられている。
防漏カフ６は、図４〜図６に示すように、吸収性本体５の肌当接面側の面５ａから、非肌当接面側の面５ｂに亘って配された防漏カフ形成用シート６０及び該防漏カフ形成用シート６０に伸張状態で固定された弾性部材６１ａ〜６１ｃによって形成されている。
【００１５】
吸収性本体５の肌当接面側の面５ａは、吸収性本体５の両面のうち、着用時に着用者の肌側に向けられる面であり、本実施形態においては、表面シート２によって形成されている。吸収性本体５の非肌当接面側の面５ｂは、吸収性本体５の両面のうち、着用時に着用者の肌側とは反対側に向けられる面であり、本実施形態においては、裏面シート３によって形成されている。
【００１６】
防漏カフ６は、図５に示すように、少なくとも股下部Ｃにおいて起立可能であり、自由端６２及び固定端６３を有している。そして、その自由端６２に、その自由端に沿って、第１の弾性部材６１ａが配されている。第１の弾性部材６１ａは、上述した防漏カフ形成用の弾性部材６１ａ〜６１ｃの一つであり、自由端６２と平行に且つ腹側部Ａと背側部Ｂとの間に亘るように配されている。腹側部Ａと背側部Ｂとの間に亘るとは、腹側部Ａの端部から背側部Ｂの端部まで存在することを意味せず、腹側部Ａ内に一端部、背側部Ｂ内に他端部が存在する場合も含む。
【００１７】
防漏カフ６の固定端６３は、防漏カフ形成用シート６０を、粘着剤、ヒートシール、高周波シール、超音波シール等の公知の接合手段により、表面シート２の各側縁から所定距離離間した部位に固定することによって、吸収性本体５の肌当接面側の面５ａ上に形成されている。固定端６３も、腹側部Ａと背側部Ｂとの間に亘っている。尚、吸収性本体５の長手方向両端近傍においては、図４及び図６に示すように、防漏カフ形成用シート６０が、固定端６３よりもおむつ幅方向中央側において、表面シート２上に固定されており、また、自由端６２もこの長手方向両端近傍においては、表面シート２上に固定されているが、股下部Ｃにおける自由端６２及び固定端６３の延長部分は、腹側部Ａ及び背側部Ｂにおいても自由端及び固定端という。
【００１８】
防漏カフ６は、図７（ｂ）に示すように、腹側部Ａ及び背側部Ｂそれぞれにおける自由端６２と固定端６３との間で、おむつ長手方向に延びる２カ所の折り曲げ部６４，６５で折り曲げられて折り畳まれている。即ち、自由端６２と固定端６３との間で三つ折り状態に折り畳まれている。
そして、防漏カフ形成用シート６０に沿って、自由端６２から固定端６３までを見たときに、最も自由端側に位置する折り曲げ部６５に第２の弾性部材６１ｂが配されている。
第２の弾性部材６１ｂは、上述した防漏カフ形成用の弾性部材６１ａ〜６１ｃの一つであり、第１の弾性部材６１ａと同様に、自由端６２と平行に且つ腹側部Ａと背側部Ｂとの間に亘るように配されている。
尚、本実施形態においては、第１の弾性部材６１ａと第２の弾性部材６１ｂとの間に、第３の弾性部材６１ｃが配されている。第３の弾性部材６１ｃも、自由端６２と平行に且つ腹側部Ａと背側部Ｂとの間に亘るように配されている。
【００１９】
尚、本実施形態においては、防漏カフ形成用シート６０として、所定幅の帯状の撥水性シートを、その長手方向に沿う折り曲げ線で二つ折りして、相対向する層間をホットメルト型接着剤又は部分的な熱又は超音波シール等で部分的に接合した２層構造のシートを用いている。弾性部材６１ａ〜６１ｃは、この２層構造シートの層間に伸張状態で固定されている。
【００２０】
本実施形態のおむつ１における防漏カフ６は、防漏カフ形成用シート６０に沿って、自由端６２から固定端６３までを見たときに、図４〜図６に示すように、自由端６２から前記折り曲げ部６５（自由端側から数えて１つ目の折り曲げ部）までの部分（以下、上部という）は、折り曲げ部６５を基点として、おむつ幅方向中央方向に向かって倒れており、１つ目の折り曲げ部６５から２つ目の折り曲げ部６４（自由端側から数えて２つ目の折り曲げ部）までの部分（以下、中央部という）は、２つ目の折り曲げ部６４を基点として、おむつ幅方向外方に向かって倒れており、２つ目の折り曲げ部６４から固定端６３までの部分（以下、下部という）は、固定端６３を基点として、おむつ幅方向中央方向に向かって倒れている。即ち、防漏カフ６は、下部が内向き、中央部が外向き、上部が内向きになるようにＺ字状に折り畳まれている。
【００２１】
防漏カフ６の折り畳まれた部分（全部又は一部）は、図４及び図６に示すように、吸収性本体５の長手方向の両端それぞれの近傍において、表面シート２上に、接着剤、ヒートシール、高周波シール、超音波シール等の公知の接合手段により一体的に固定されている。図７中、格子状の網掛け部分は、シート同士が熱融着した部分を示している。
【００２２】
本実施形態のおむつ１においては、吸収性本体５の肌当接面側の面５ａにおける防漏カフ６の固定端６３，６３間に挟まれた領域が、着用時に潰れた防漏カフ６によって覆われにくい。また、股下部Ｃにおける防漏カフ６は、図７（ａ）に示すように、着用者の肌に向かって大きく起立し、充分な高さを確保することができる。そのため、本実施形態のおむつ１によれば、防漏性能の低下を抑制しつつ、股下部の幅を狭くすることができる。股間部の幅を狭くすることは必ずしも必要ではなく、股間部の幅を狭くせずに、防漏性能の向上を図ることもできる。
【００２３】
本実施形態のおむつ１においては、防漏カフ６の折り畳まれた部分が、吸収性本体５の長手方向の両端近傍において、吸収性本体５の肌当接面側の面を形成している表面シート２上に固定されており、図７（ｂ）に示すように、その固定された部分において、前記自由端６２の位置と、該自由端６２から２つ目の折り曲げ部６４の位置とが、おむつ幅方向において重なっている。
このような構成により、吸収性本体５の肌当接面側の面５ａにおける親水幅（液を吸収できる領域）が、広くなり、防漏性能の低下を抑制しつつ、股下部の幅を狭くすることが可能となる。また、該防漏カフ形成用シート６０は風合いに優れたシート材料を使用することで、着用者に股下部での装着違和感を与えることがない。
【００２４】
股下部の幅を狭くした使い捨ておむつとしては、例えば、以下に示す条件を満たす使い捨ておむつを特に好ましい例として例示できる。
吸収性コア４の幅；背側部Ｂ及び腹側部Ａそれぞれにおける最大幅Ｗａ、Ｗｂ（図３参照）が１３５ｍｍ以下（下限は、例えば１００ｍｍ以上）、股下部Ｃにおける最小幅Ｗｃ（図３参照）が８０ｍｍ以下（下限は、例えば４０ｍｍ以上）。
【００２５】
上記条件を満たす使い捨ておむつの防漏カフ６としては、以下に示すような寸法を有するものが、吸収性能の低下の防止の観点から好ましい。
（１）自由端６２から、１つ目の折り曲げ部６５までの距離Ｌ３（図７参照）；５〜４０ｍｍ、特に１０〜３０ｍｍ。
（２）自由端６２から固定端６３に向かって１つ目の折り曲げ部６５から、２つ目の折り曲げ部６４までの距離Ｌ２（図７参照）；５〜４０ｍｍ、特に１０〜３０ｍｍ。
（３）前記距離Ｌ３と前記距離Ｌ２とがほぼ同じ距離、好ましくは同じ距離。前記距離Ｌ３と前記距離Ｌ２との差が１０ｍｍ以内である場合は、両者はほぼ同じ距離である。
（４）防漏カフ形成用シート６０に沿って自由端６２から固定端６３までを見たときに、前記固定端６３に最も近い折り曲げ部６４から該固定端６３までの距離Ｌ１が１０〜５０ｍｍ、特に１５〜４０ｍｍ。
（５）前記距離Ｌ１、前記距離Ｌ２及び前記距離Ｌ３の合計（平面状に延ばした状態で測定した防漏カフの幅と同じ）；２０〜１１０ｍｍ、特に３０〜１００ｍｍ
【００２６】
本実施形態のおむつ１における吸収性本体５は、その両側縁部それぞれから所定幅、おむつ幅方向内側に入り込んだ部位に外装体１０との接合部を有し、また、吸収性本体５の両側部における防漏カフ形成用シートの内側に、本体側部を起立させるための弾性部材６６が、吸収性本体５の長手方向に沿って伸張状態で固定されている。そのため、吸収性本体５における、外装体１０との接合部よりも外方に位置する部分が、着用時に外装体１０から離間して立ち上がり第２防漏カフとして機能する。このため、一層漏れ防止性能に優れている。
【００２７】
本実施形態のおむつの各部を構成する材料としては当該技術分野において通常用いられているものを特に制限なく用いることができる。
例えば表面シート２としては、親水性且つ液透過性の不織布や、開孔フィルムを用いることができる。裏面シート３としては、樹脂フィルムや、樹脂フィルムと不織布等とのラミネート材等を用いることができる。
吸収性コア４を構成する各吸収層４１，４２としては、フラッフパルプの積繊物、フラッフパルプと高吸収性ポリマーの粒子との混合積繊物等を用いることができる。多層構造の吸収性コア４に代えて単層の吸収性コアを用いる場合も同様の積繊物等を用いることができる。
【００２８】
防漏カフ形成用のシート６０としては、スパンボンド・メルトブローン・スパンボンドのような多層構成の複合不織布、スパンボンド不織布、エアスルー不織布、ヒートボンド不織布等を用いることができ、モレ防漏性の点からスパンボンドとメルトブローンからなる多層構成の撥水性不織布が好ましい。
【００２９】
防漏カフ形成用の弾性部材６１ａ〜６１ｃの形態としては、糸状のもの（糸ゴム等）、所定幅の帯状のもの（平ゴム等）等が好ましく、特に糸状のものが好ましい。弾性部材の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
弾性部材６６，７１，８１，９１の形態としては、糸状のもの及び所定幅の帯状のもの、更には薄膜状のもの等を用いることもできる。それらの素材としては、弾性部材６１ａ〜６１ｃの素材として記載のものを用いることができる。
【００３０】
以上、本発明の好ましい一実施形態について説明したが、本発明は、上述した実施形態に制限されず、本発明の趣旨を逸脱しない範囲で種々変更が可能である。
例えば、防漏カフ６は、自由端と固定端との間で３回以上折り曲げられていても良い。この場合、防漏カフは、自由端から該自由端に最も近い１つ目の折り曲げ部までの部分は内向き、１つ目の折り曲げ部から２つ目の折り曲げ部までの部分は外向き、２つ目の折り曲げ部から次の折り曲げ部までの部分は内向き、といったように、折り曲げ方向が互い違いになるように折り畳まれていることが好ましい。
【００３１】
防漏カフ６形成用の弾性部材は、第１の弾性部材６１ａ及び第２の弾性部材６１ｂのみであっても良い。
上記実施形態のおむつは、幼児用のパンツ型おむつであったが、本発明の使い捨ておむつは、成人用のパンツ型おむつ、幼児又は成人用のいわゆる展開型の使い捨ておむつであっても良い。
【実施例】
【００３２】
＜実施例１＞
図１〜図７に示す形態の使い捨ておむつを製造した。
各部の寸法は下記の通りである。
腹側部Ａにおける吸収性コア４の最大幅Ｗａ＝１１０ｍｍ、背側部Ｂにおける吸収性コア４の最大幅Ｗb＝１１０ｍｍ、股下部Ｃにおける吸収性コア４の最小幅Ｗｃ＝６０ｍｍ。
前記距離Ｌ１＝２５ｍｍ、前記距離Ｌ２＝１５ｍｍ、前記距離Ｌ３＝１５ｍｍ、左右の防漏カフの固定端同士間の幅１1０ｍｍ。
股下部における吸収性本体の幅＝１２０ｍｍ。図２に示す状態における股下部の左右の防漏カフそれぞれの一つ目の折り曲げ部同士間の距離（表面シートが防漏カフに覆われていない部分の幅，以下、親水幅ともいう）＝６０ｍｍ。
【００３３】
＜比較例１＞
各部の寸法を下記の通りとした使い捨ておむつを製造した。
腹側部Ａにおける吸収性コア４の最大幅Ｗａ＝１１０ｍｍ、背側部Ｂにおける吸収性コア４の最大幅Ｗｂ＝１１０ｍｍ、股下部Ｃにおける吸収性コア４の最小幅Ｗｃ＝６０ｍｍ。
前記距離Ｌ１＝３０ｍｍ（通常の防漏カフの形状で折り曲げ部が存在しない構成）、左右の防漏カフの固定端同士間の幅１1０ｍｍ。
股下部における吸収性本体の幅＝１２０ｍｍ。表面シートが防漏カフに覆われていない部分の幅，親水幅＝５０ｍｍ。
尚、防漏カフには、自由端にのみ弾性部材が配されている。
【００３４】
＜比較例２＞
防漏カフを以下の通り変更した以外は、実施例１と同様のおむつを製造した。
防漏カフ；自由端と固定端との間に１つの折り曲げ部のみを形成し、その折り曲げ部から自由端の間を外折りに固定した。股下部における防漏カフの固定端からその折り曲げ部までの距離＝２０ｍｍ、折り曲げ部から自由端までの距離＝２０ｍｍ、防漏カフの高さ＝４０ｍｍ、親水幅＝６０ｍｍ。尚、自由端及び折り曲げ部には、弾性部材が配されている。
【００３５】
＜性能評価＞
各使い捨ておむつについて、漏れ防止性能を下記の方法で評価した。結果を表１に示した。
１）お腹漏れ防止性能
〔評価方法〕
腰部モデル（股間部からの生理食塩水の注入が可能であり、形態的に幼児の腰部を模してあるモデル）におむつを装着し、下記方法でお腹モレ値を測定した。
先ずおむつを上記の腰部モデルに装着し、このモデルをうつ伏せ寝の状態で１０度の傾き角度でウエスト側を下に傾ける。この状態で生理食塩水を４０ｍｌ注入し、５分放置後、さらに４０ｍｌを注入した。以後、１回４０ｍｌの注入を、５分間隔で、おむつから生理食塩水が漏れるまで繰り返した。そして、尿の漏れが観察された時点における生理食塩水の合計注入量を表１に記載した。
【００３６】
２）股漏れ防止性能
〔評価方法〕
１）と同様のモデルにおむつを装着後、横寝の向きにモデルをセットする。さらに４５度の傾き角度で、ウエスト側が上、股下部側が下になるようにモデルを傾ける。この状態で１）と同様の注入条件で生理食塩水を注入し、前漏れ防止性能の評価方法と同様にして評価した。表１には、尿の漏れが観察された時点における生理食塩水の合計注入量を記載した
【００３７】
【表１】
2005198802.tif 000003
【図面の簡単な説明】
【００３８】
【図１】図１は、本発明の使い捨ておむつの一実施形態としてのパンツ型おむつを示す斜視図である。
【図２】図２は、図１に示すおむつをサイドシール部で切り離して展開し、各部の弾性部材を伸張させて平面状に拡げた状態を一部破断して示す平面図である。
【図３】図３は、図１に示すおむつにおける吸収性本体の一部破断平面図である。
【図４】図４は、図２のＩ−Ｉ線模式断面図である。
【図５】図５は、図２のII−II線模式断面図である。
【図６】図６は、図２のIII−III線模式断面図である。
【図７】図７は、図１に示すおむつの防漏カフの拡大断面図であり、図７（ａ）は、股下部において起立した状態、図７（ｂ）は腹側部及び背側部において折り畳まれて固定されている状態を示す図である。
【符号の説明】
【００３９】
１  使い捨ておむつ
２  表面シート
３  裏面シート
４  吸収性コア
５  外装体
６  防漏カフ
６０  防漏カフ形成用シート
６１ａ  第１の弾性部材
６１ｂ  第２の弾性部材
６２  自由端
６３  固定端
１０  吸収性本体
【図１】
2005198802.tif 000004
【図２】
2005198802.tif 000005
【図３】
2005198802.tif 000006
【図４】
2005198802.tif 000007
【図５】
2005198802.tif 000008
【図６】
2005198802.tif 000009
【図７】
2005198802.tif 000010